(57)【特許請求の範囲】
【請求項１】
制御電圧に応じて発振信号を生成する発振手段と、
その発振手段からの発振信号に応じて発生させた交流電圧により圧電トランスを駆動する、トランジスタをブリッジ型に構成したブリッジ回路を含む駆動手段と、
入力された電圧をサンプリングし、制御信号に従って保持するサンプルホールド手段と、
前記圧電トランスの出力側に接続された負荷に流れる電流を検出する検出手段と、
前記圧電トランスを間欠的に駆動するためのパルス信号を生成し、そのパルス信号を前記駆動手段に供給する間欠発振手段と、
前記サンプルホールド手段からの出力に基づいて、前記発振手段の制御電圧を生成する制御電圧生成手段とを備え、
前記検出手段による検出結果である電圧を、前記サンプルホールド手段によりサンプリングし、ホールドし、
前記間欠発振手段は、生成するパルス信号のデューティ比の調整が可能で、パルス信号を生成するパルス発振手段と、そのパルス発振手段からのパルス信号と前記発振手段からの発振信号とに基づいて論理積を算出する論理積算出手段と、を備え、前記トランジスタのうち一方のトランジスタを前記発振手段からの発振信号により駆動し、他方のトランジスタを前記論理積算出手段からの出力信号により駆動し、
前記制御電圧生成手段は、前記サンプルホールド手段からの出力と所定値とを比較し、その結果に応じて前記制御電圧を生成することを特徴とする圧電トランスの制御回路。
【請求項２】
制御電圧に応じて発振信号を生成する発振手段と、
その発振手段からの発振信号に応じて発生させた交流電圧により圧電トランスを駆動する、トランジスタをブリッジ型に構成したブリッジ回路を含む駆動手段と、
入力された電圧をサンプリングし、制御信号に従って保持するサンプルホールド手段と、
前記圧電トランスの出力電圧を検出する検出手段と、
前記圧電トランスを間欠的に駆動するためのパルス信号を生成し、そのパルス信号を前記駆動手段に供給する間欠発振手段と、
前記サンプルホールド手段からの出力に基づいて、前記発振手段の制御電圧を生成する制御電圧生成手段とを備え、
前記検出手段により検出した検出電圧を、前記サンプルホールド手段によりサンプリングし、ホールドし、
前記間欠発振手段は、生成するパルス信号のデューティ比の調整が可能で、パルス信号を生成するパルス発振手段と、そのパルス発振手段からのパルス信号と前記発振手段からの発振信号とに基づいて論理積を算出する論理積算出手段と、を備え、前記トランジスタのうち一方のトランジスタを前記発振手段からの発振信号により駆動し、他方のトランジスタを前記論理積算出手段からの出力信号により駆動し、
前記制御電圧生成手段は、前記サンプルホールド手段からの出力と所定値とを比較し、その結果に応じて前記制御電圧を生成することを特徴とする圧電トランスの制御回路。
【請求項３】
前記制御信号と前記パルス信号とは、同期していることを特徴とする請求項１又は２記載の圧電トランスの制御回路。
【請求項４】
前記間欠発振手段は、前記交流電圧の基となる直流電圧からパルス電圧を発生するパルス電圧手段であることを特徴とする請求項３記載の圧電トランスの制御回路。
【発明の詳細な説明】
【０００１】
【発明の属する技術分野】
本発明は、冷陰極管の駆動装置に使用して好適な圧電トランスの制御回路に関する。
【０００２】
【従来の技術】
近年、持ち運びの容易なノート型パーソナルコンピュータ等には、その表示装置として液晶表示器が広く用いられている。この液晶表示装置の内部には、液晶表示パネルを背照すべく、所謂バックライトとして冷陰極管が備えられており、その冷陰極管を点灯させるには、電池等の直流低電圧から点灯開始時１０００Ｖrms 以上、定常点灯時、５００Ｖrms 程度の交流高電圧への変換が可能な昇圧インバータが必要とされる。従来、この昇圧インバータの昇圧用トランスとして、巻線トランスが使われてきたが、最近では機械エネルギを介して電気変換することにより昇圧を行う圧電トランスが使用されるようになりつつある。この圧電トランスは、出力負荷（負荷抵抗）の大きさによって昇圧比が大きく変化するという一般には好ましくない特性を有しているが、一方でこの負荷抵抗への依存性が冷陰極管のインバータ電源の特性に適しており、液晶表示器の薄型化、高効率化の要求に応える小型高圧電源として注目されている。このような圧電トランスの制御回路の一例を、図１を参照して説明する。
【０００３】
図１は、従来例としての圧電トランスの制御回路のブロック構成図である。
【０００４】
図中、１０１は圧電トランス、１０２は圧電トランス１０１の出力側に接続された冷陰極管等の負荷、１０３は負荷に流れる電流を検出するための検出用抵抗Ｒ det、１０４は検出用抵抗１０３に生じた交流電圧を直流電圧に変換する整流回路、１０５は整流回路４にて整流後の電圧Ｖriと基準電圧Ｖref とを比較し、その比較結果である差を増幅する誤差増幅回路、１０６は誤差増幅回路１０５の出力電圧に応じて発振信号を出力する電圧制御発振回路、そして１０７は電圧制御発振回路１０６の発振信号に応じて圧電トランス１０１を駆動する駆動回路である。次に、上記の構成を備える制御回路の動作について図２を用いて説明する。
【０００５】
図２は、圧電トランスの出力電圧及び負荷電流についての周波数特性の一例を説明する図である。
【０００６】
圧電トランス１０１は、同図（上側）に示す如く圧電トランス１０１が有する共振周波数を頂上とする山形の共振周波数特性を有し、圧電トランス１０１の出力電圧によって負荷１０２に流れる電流も同様な山形の特性となることが一般的に知られている。尚、同図（下側）では、負荷電流を負荷電流検出電圧Ｖriで表わしている。この特性において、右側（右下がり）の部分を使った制御について説明する。当該制御回路への電源を投入すると、電圧制御発振回路１０６は初期周波数ｆａで発振を開始する。その際、負荷１０２には電流が流れていないため、検出抵抗１０３に発生する電圧は零である。従って、誤差増幅回路１０５は、負荷電流検出電圧Ｖriと基準電圧Ｖrefとを比較した結果である負の電圧を電圧制御増幅回路１０６に出力する。そして、電圧制御回路１０６はその電圧に応じて発振信号の発振周波数を低周波側にシフトさせるため、周波数が低周波側にシフトしていくに従って圧電トランス１０１の出力電圧は上昇し、負荷電流（負荷電流検出電圧Ｖri）も増加し始める。そして、負荷電流（負荷電流検出電圧Ｖri）と基準電圧Ｖrefとが同じになったところで周波数が安定する（ｆｂ）。もし、温度変化や経時変化により共振周波数が変化してもそれに応じて周波数がシフトして常に負荷電流を略一定に保つことができる。
【０００７】
従って、図１の制御回路によれば、負荷電流検出電圧Ｖriを基準電圧Ｖrefにすべく周波数制御が行われ、その周波数制御によって負荷電流が所定値に保持されるようになる。このような圧電トランスの制御回路において負荷を冷陰極管とし、冷陰極管の点灯装置として使用すれば、冷陰極管の輝度はそれに流れる管電流に比例するため、所定の輝度に保持できるという重要な機能が達成できる。但し、冷陰極管の点灯装置では、所定の輝度に保持する機能の他に、輝度を変える機能（調光機能）が必要である。その手法の１つとして、例えば、本願出願人による先行する特願平８−２２８４５８号においては、圧電トランスに間欠的なパルス電圧を印加して駆動することにより、冷陰極管の平均管電流を調整する手法を提案している。ここで、その手法の概要を、図３及び図４を参照して説明する。
【０００８】
図３は、従来例としての冷陰極管の輝度調節が可能な圧電トランスの制御回路のブロック構成図である。
【０００９】
図４は、従来例としての冷陰極管の輝度調節が可能な圧電トランスの制御回路の動作を説明する図である。
同図において、横軸はそれぞれ時間を示しており、縦軸はそれぞれ上から順に、パルス電源回路１０８から駆動回路１０７に供給されるパルス電圧、発振回路１０９から出力される発振信号、そして圧電トランス１０１の出力電圧を示している。
【００１０】
輝度を小さくする場合は、パルス電源回路１０８よりあるパルス間隔を持ったパルス電圧を駆動回路１０７に供給する。ここで、パルス電源回路１０８より駆動回路１０７に供給されるパルス電圧のＨｉｇｈ期間（Ｔ high）は、発振回路１０９から得られる発振信号の周期より十分大きいものとする（例えば、パルス電圧の周波数が１００ｋＨｚに対し、発振信号の周波数は数百Ｈｚ程度とする）。図示の如く、パルス状の電源電圧がＬｏｗ期間（Ｔ low）であるときは、駆動回路１０７は圧電トランス１０１を駆動できないため、出力電圧は零である。一方、パルス電圧がＨｉｇｈ期間（Ｔ high）のときは、駆動回路１０７に電圧が印加されて動作するため、圧電トランス１０１は駆動されて出力電圧が発生する。この動作が繰り返されることにより、冷陰極管（負荷２）に流れる管電流（負荷電流）の平均値が小さくなり、輝度を低下させることができる。この場合、パルス電圧におけるＨｉｇｈ期間をさらに短く、またはＬｏｗ期間を更に長くすれば、冷陰極管に流れる平均管電流はより小さくなり、輝度は低下する。人間の視覚にとっては、Ｈｉｇｈ期間における残像が残るためである。
【００１１】
【発明が解決しようとする課題】
しかしながら、図３の手法を図１に示した圧電トランスの制御回路に組み込んで調光機能を付加しようとしても、調光機能は得られない。なぜならば、調光させるべく間欠発振によって平均管電流を減少させると、負荷電流検出電圧Ｖriが基準電圧Ｖrefより小さくなるため、電圧制御発振回路１０６の発振周波数が低周波側にシフトし、駆動回路１０７が管電流を増加させる方向に働き、結局平均管電流は変わらなくなってしまうためである。即ち、圧電トランスの制御回路が持つ、「管電流を略一定に保つ機能」により、「調光機能」が機能しなくなってしまうためである。
【００１２】
また、他の従来例として、図５は、圧電トランスの駆動電圧を略一定に保つ機能を持った回路のブロック図であり、図６は、圧電トランスの出力電圧を略一定に保つ機能を持った回路のブロック図である。これらの回路は、検出用抵抗１１０ａ，１１０ｂと整流回路１０４によって検出した電圧と基準電圧を誤差増幅回路１０５により比較し、その結果に応じて所謂ＰＷＭ（パルス幅変調）を行うＰＷＭ発振回路１１１の出力する矩形波信号のデューティー比を制御する。この矩形波信号のデューティー比を制御すれば、当該矩形波に基本波として含まれる正弦波の周波数を変更することができるため、電圧制御発振回路１０６と同様に駆動電圧または出力電圧を所定値に保持する制御が可能となる。
【００１３】
更に、他の従来例として、図７では、ＰＷＭ発振回路１１１の出力する矩形波信号のデューティー比を調整して管電流を制御している。この場合、管電流は、抵抗１０３を使用して検出している。また、図８では、図６のＰＷＭ発振回路１１１の代わりに、図１で説明した電圧制御発振回路１０６を使用している。
【００１４】
しかしながら、これらの回路に図３の間欠発振を行う回路を組み込んだ場合も、図１に組み込んだ場合と同様お互いの機能を相殺してしまい、好ましい制御が得られない。
【００１５】
そこで本発明は、負荷である冷陰極管の管電流、駆動電圧または出力電圧を略一定に保つ機能と、間欠発振による輝度調整機能との両立が可能な圧電トランスの制御回路の提供を目的とする。
【００１６】
【課題を解決するための手段】
上記の目的を達成するため、本発明の圧電トランスの制御回路は、以下の構成を特徴とする。
【００１７】
即ち、制御電圧に応じて発振信号を生成する発振手段と、その発振手段からの発振信号に応じて発生させた交流電圧により圧電トランスを駆動する、トランジスタをブリッジ型に構成したブリッジ回路を含む駆動手段と、入力された電圧をサンプリングし、制御信号に従って保持するサンプルホールド手段と、前記圧電トランスの出力側に接続された負荷に流れる電流を検出する検出手段と、前記圧電トランスを間欠的に駆動するためのパルス信号を生成し、そのパルス信号を前記駆動手段に供給する間欠発振手段と、前記サンプルホールド手段からの出力に基づいて、前記発振手段の制御電圧を生成する制御電圧生成手段とを備え、前記検出手段による検出結果である電圧を、前記サンプルホールド手段によりサンプリングし、ホールドし、前記間欠発振手段は、生成するパルス信号のデューティ比の調整が可能で、パルス信号を生成するパルス発振手段と、そのパルス発振手段からのパルス信号と前記発振手段からの発振信号とに基づいて論理積を算出する論理積算出手段と、を備え、前記トランジスタのうち一方のトランジスタを前記発振手段からの発振信号により駆動し、他方のトランジスタを前記論理積算出手段からの出力信号により駆動し、前記制御電圧生成手段は、前記サンプルホールド手段からの出力と所定値とを比較し、その結果に応じて前記制御電圧を生成することを特徴とする。
【００１８】
また、制御電圧に応じて発振信号を生成する発振手段と、その発振手段からの発振信号に応じて発生させた交流電圧により圧電トランスを駆動する、トランジスタをブリッジ型に構成したブリッジ回路を含む駆動手段と、入力された電圧をサンプリングし、制御信号に従って保持するサンプルホールド手段と、前記圧電トランスの出力電圧を検出する検出手段と、前記圧電トランスを間欠的に駆動するためのパルス信号を生成し、そのパルス信号を前記駆動手段に供給する間欠発振手段と、前記サンプルホールド手段からの出力に基づいて、前記発振手段の制御電圧を生成する制御電圧生成手段とを備え、前記検出手段により検出した検出電圧を、前記サンプルホールド手段によりサンプリングし、ホールドし、前記間欠発振手段は、生成するパルス信号のデューティ比の調整が可能で、パルス信号を生成するパルス発振手段と、そのパルス発振手段からのパルス信号と前記発振手段からの発振信号とに基づいて論理積を算出する論理積算出手段と、を備え、前記トランジスタのうち一方のトランジスタを前記発振手段からの発振信号により駆動し、他方のトランジスタを前記論理積算出手段からの出力信号により駆動し、前記制御電圧生成手段は、前記サンプルホールド手段からの出力と所定値とを比較し、その結果に応じて前記制御電圧を生成することを特徴とする。
【００２２】
更に、好ましくは、前記制御信号と前記パルス電圧とは、同期していることよい。
【００２３】
以上の構成により、負荷である冷陰極管の管電流、駆動電圧または出力電圧の保持機能と圧電トランスの間欠発振による輝度調整機能とを両立させる。
【００２４】
【発明の実施の形態】
以下、本発明に係る圧電トランスの制御回路の一実施形態を図面を参照して説明する。
【００２５】
図９は、本発明の一実施形態としての圧電トランスの制御回路のブロック構成図である。
【００２６】
図中、１は圧電トランス、２は圧電トランス１の出力側に接続された冷陰極管等の負荷、３は負荷に流れる電流を検出するための検出用抵抗Ｒ det、４は検出用抵抗３に生じた交流電圧を直流電圧に変換する整流回路、１２は整流回路４の出力電圧（以下、負荷電流検出電圧Ｖri）をパルス電源回路８からの信号に応じて保持するサンプルホールド回路、５はサンプルホールド回路１２の出力電圧と基準電圧Ｖ refとを比較してその差を増幅する誤差増幅回路、６は誤差増幅回路５の出力電圧に応じて発振信号を出力する電圧制御発振回路、７は電圧制御発振回路６の発振信号に応じて圧電トランス１を駆動する駆動回路である。また、８はパルス電源回路であり、冷陰極管（負荷２）の輝度を変化させるべく駆動回路７に供給するパルス状の電源電圧を入力電圧Ｖiより生成し、且つそのパルス状の電源電圧におけるパルス幅及び間隔を制御する。
【００２７】
また、サンプルホールド回路１２は、同図に示す如くバッファ１２ａ、充電用のコンデンサ１２ｂ、スイッチング素子１２ｃで構成される。
【００２８】
図１０は、本発明の一実施形態としてのパルス電源回路の構成を説明する図である。
【００２９】
図中、パルス電源回路８は、直流電圧である入力電圧Ｖｉを、例えばＭＯＳ−ＦＥＴ（ＭＯＳ型電界効果トランジスタ）等のスイッチング素子８ｂによりパルス発振回路８ａから出力される信号に応じてオン／オフさせることにより、駆動回路７へパルス電圧を出力する。また、パルス発振回路８ａから出力される信号は、サンプルホールド回路１２のスイッチング素子１２ｃにも供給されている。従って、パルス発振回路８ａから出力される信号によってスイッチング素子８ｂとスイッチング素子１２ｃとのスイッチング速度を制御されるように構成されている。
【００３０】
次に、上記のような構成を備える圧電トランスの制御回路の動作について説明する。
【００３１】
はじめに、輝度を最大にする場合は、パルス電源回路８から供給されるパルス状の電源電圧は連続的な直流電圧となり、サンプルホールド回路１２ではスイッチング素子１２ｃは常に閉じた状態となる。従って、サンプルホールド回路１２が無い状態となって従来技術で説明した回路と同様な制御であるので説明を省略する。
【００３２】
次に、輝度を下げるべくパルス発振回路８ａが調整され、パルス電源回路８からパルス状の電源電圧が駆動回路７に供給され、圧電トランス１が間欠駆動されている場合の動作について説明する。
【００３３】
今、パルス電源回路８内部のスイッチング素子８ｂが閉じて駆動回路７に電圧Ｖｉが供給されている時、駆動回路７からの駆動電圧によって圧電トランス１は駆動され、冷陰極管には管電流が流れる（発振期間）。この時、サンプルホールド回路１２内部のスイッチング素子１２ｃの制御端子には、パルス電源回路内部のパルス発振回路８ａからの信号が入力されているので、パルス電源回路８内部のスイッチング素子８ｂと同じく閉じており、検出抵抗３及び整流回路４により検出された負荷電流検出電圧Ｖriは、コンデンサ１２ｂに充電されると共に、バッファ１２ａを介して誤差増幅回路５に出力される。従って、誤差増幅回路５からは負荷電流検出電圧Ｖriと基準電圧Ｖrefとの差に応じた電圧が出力され、結果として圧電トランス１が駆動される。
【００３４】
次に、パルス電源回路８内部のスイッチング素子８ｂが開き、駆動回路４に電圧が供給されていない時には、圧電トランス１が駆動されないため、冷陰極管には管電流が流れない（休止期間）。この時、サンプルホールド回路１２内部のスイッチング素子１２ｃは開いているので、整流回路４からの負荷電流検出電圧Ｖriには影響されず、サンプルホールド回路１２内部の充電コンデンサ１２ｂにスイッチング素子１２ｃが閉じている間に充電されていた電圧、即ち点灯時の負荷電流検出電圧Ｖriが誤差増幅回路５に出力される。
【００３５】
従って、休止期間においても、発振期間の負荷電流検出電圧Ｖriにより充電された電圧を使って発振周波数の制御が可能となるため、発振期間における圧電トランス１の駆動状態が保持されることになる。また、冷陰極管の調光をするためにパルス発振回路８ａを調整してＴhigh もしくはＴlow を変化させることにより、平均管電流を変化させることができるので、結果として冷陰極管の輝度を変えることも可能となる。
【００３６】
＜本実施形態の効果＞
冷陰極管を調光すべく間欠的に圧電トランスを駆動した場合において、発振期間の管電流に相当する電圧制御発振回路への電圧をサンプルホールド回路の制御により保持できるため、休止期間であっても該発振期間における駆動回路の駆動状態を保持可能となり、且つ発振期間もしくは休止期間の長さを変えることによって平均管電流を調整できるため、冷陰極管の輝度の調整も可能となる。
【００３７】
＜本実施形態の変形例＞
図１１から図１４は、本発明の一実施形態の変形例１から４としての圧電トランスの制御回路のブロック構成図である。
【００３８】
まず、図１１に示すように、上述の実施形態（図９）の電圧制御発振回路６の代わりにＰＷＭ発振回路１１を使用して管電流を発振期間における値に保持してもよいことは言うまでもない。
【００３９】
また、図１２から図１４は、管電流を発振期間における値に保つ機能の代わりに、圧電トランスの駆動電圧を発振期間における値に保つ機能を有する回路と圧電トランスの出力電圧を発振期間における値に保つ機能を有する回路とが示されている。
【００４０】
圧電トランスの駆動電圧を発振期間における値に保つ機能を有する回路（図１２）、圧電トランスの出力電圧を発振期間における値に保つ機能を有する回路（図１３，図１４）においても、上述の実施形態（図９）と同様にサンプルホールド回路１２を整流回路４と誤差増幅回路５の間に挿入し、パルス電源回路８内部のパルス発振回路８ａからの信号によりサンプルホールド回路１２を制御することにより、休止期間であっても、駆動電圧もしくは出力電圧を発振期間における値に保持した状態で、間欠発振による圧電トランス１の駆動電圧または出力電圧の調整が可能となる。尚、図１２、図１３の回路では、それぞれ前述の図５、図６と同様に電圧制御発振回路６の代わりにＰＷＭ発振回路１１を使用している。前記の構成以外は図９と同様なため、同一の参照番号を付して詳細な説明は省略する。
【００４１】
更に、本実施形態の変形例５，６として、前述の図９における駆動回路７を、トランジスタにより構成した所謂ブリッジ型の駆動回路とした場合について図１５及び図１６を参照して説明する。
【００４２】
図１５，図１６は、本発明の一実施形態における変形例５，６としての圧電トランスの制御回路のブロック構成図である。同図では、駆動回路７にハーフブリッジ型の回路構成を示している。前述の図９の場合は、パルス電源回路８により駆動回路７自体を間欠駆動させたが、本変形例のようなブリッジ型駆動回路の場合には、パルス発振回路１３及びアンド（ＡＮＤ）回路１４を使用する。パルス発振回路１３は、不図示の調整手段を備えており、出力するパルス信号のデューティ比の調整が可能である。
【００４３】
変形例５，６において、駆動回路７は、ハーフブリッジ型に接続されたＰ型トランジスタ（ＦＥＴ：電界効果トランジスタ）７ａとＮ型トランジスタ（ＦＥＴ）７ｂとで構成されされており、パルス発振回路１３が出力するパルス信号、電圧制御発振回路６の出力する発振信号、これらの信号のアンド回路１４による論理積信号を使用して２つのトランジスタ（７ａ，７ｂ）が交互にスイッチングを行う。この駆動回路７のスイッチング動作により、圧電トランス１には入力電圧Ｖｉを振幅とする駆動電圧（交流電圧）が間欠的に印加される。また、パルス発振回路１３が出力するパルス信号によりサンプルホールド回路１２を制御する。前記の構成以外は図９と同様なため、同一の参照番号を付して詳細な説明は省略する。
【００４４】
尚、上述の変形例５，６では、図９の制御回路に基づいて説明したが、図１１〜図１４の制御回路についても駆動回路７をハーフブリッジ型とし、パルス電源回路８の代わりにパルス発振回路１３及びアンド回路１４を使用してもよいことは言うまでもない。また、駆動回路７をハーフブリッジ型ではなく、フルブリッジ型に構成することも可能であることは言うまでもない。
【００４５】
【発明の効果】
以上説明したように、本発明によれば、負荷である冷陰極管の管電流、駆動電圧または出力電圧を略一定に保つ機能と、間欠発振による輝度調整機能との両立が可能な圧電トランスの制御回路の提供が実現する。
【００４６】
【図面の簡単な説明】
【図１】従来例としての圧電トランスの制御回路のブロック構成図である。
【図２】圧電トランスの出力電圧及び負荷電流についての周波数特性の一例を説明する図である。
【図３】従来例としての冷陰極管の輝度調節が可能な圧電トランスの制御回路のブロック構成図である。
【図４】従来例としての冷陰極管の輝度調節が可能な圧電トランスの制御回路の動作を説明する図である。
【図５】圧電トランスの駆動電圧を略一定に保つ機能を持った回路のブロック図である。
【図６】圧電トランスの出力電圧を略一定に保つ機能を持った回路のブロック図である。
【図７】圧電トランスの管電流を略一定に保つ機能を持った回路のブロック図である。
【図８】圧電トランスの出力電圧を略一定に保つ機能を持った回路のブロック図である。
【図９】本発明の一実施形態としての圧電トランスの制御回路のブロック構成図である。
【図１０】本発明の一実施形態としてのパルス電源回路の構成を説明する図である。
【図１１】本発明の一実施形態の変形例１としての圧電トランスの制御回路のブロック構成図である。
【図１２】本発明の一実施形態の変形例２としての圧電トランスの制御回路のブロック構成図である。
【図１３】本発明の一実施形態の変形例３としての圧電トランスの制御回路のブロック構成図である。
【図１４】本発明の一実施形態の変形例４としての圧電トランスの制御回路のブロック構成図である。
【図１５】本発明の一実施形態における変形例５としての圧電トランスの制御回路のブロック構成図である。
【図１６】本発明の一実施形態における変形例６としての圧電トランスの制御回路のブロック構成図である。
【符号の説明】
１，１０１  圧電トランス
２，１０２  負荷
３，１０ａ，１０ｂ，１１０ａ，１１０ｂ，１０３  検出用抵抗
４，１０４  整流回路
５，１０５  誤差増幅回路
６，１０６  電圧制御発振回路
７，１０７  駆動回路
８，１０８  パルス電源回路
７ａ，７ｂ  トランジスタ
８ａ，１３  パルス発振回路
８ｂ，１２ｃ  スイッチング素子
１０９  発振回路
１１，１１１  ＰＷＭ発振回路
１２  サンプルホールド回路
１２ａ  バッファ
１２ｂ  コンデンサ
１４  ＡＮＤ回路
【図１】
0003681851.tif 000002
【図２】
0003681851.tif 000003
【図３】
0003681851.tif 000004
【図４】
0003681851.tif 000005
【図５】
0003681851.tif 000006
【図６】
0003681851.tif 000007
【図７】
0003681851.tif 000008
【図８】
0003681851.tif 000009
【図９】
0003681851.tif 000010
【図１０】
0003681851.tif 000011
【図１１】
0003681851.tif 000012
【図１２】
0003681851.tif 000013
【図１３】
0003681851.tif 000014
【図１４】
0003681851.tif 000015
【図１５】
0003681851.tif 000016
【図１６】
0003681851.tif 000017